(57)【要約】【課題】ユーザの所望する画像をユーザの所望する質感で提供することのできる画像印刷装置を提供する。【解決手段】ユーザから画像を印刷する際の質感の選択を受付ける。質感情報は、操作ディスプレイＩ／Ｆ１０１７を介してＰＣ１０１に入力され、熱量制御部１０２０に渡される。熱量制御部１０２０は、質感情報に基づいて、昇華型プリンタであるプリンタ１２において選択された質感で印刷するために必要な熱量を算出し、熱量情報をプリンタＩ／Ｆ１０２１に渡す。そして、プリンタＩ／Ｆ１０２１は、算出された熱量で印刷するための質感信号と、印刷画像データと印刷レイアウトデータとを含む印刷制御信号を、プリンタ１２に出力する。この印刷制御信号によって、プリンタ１２では、ユーザが選択した質感で画像が印刷される。【選択図】　　　　図７
2004074540.tif 000002
【特許請求の範囲】
【請求項１】
印刷する画像の指定を受付ける画像指定手段と、
前記画像を印刷する際の質感の指定を受付ける質感指定手段と、
前記指定された質感で前記画像を印刷するために、印刷装置に対して印刷制御信号を出力する印刷出力手段とを備える、画像印刷装置。
【請求項２】
前記印刷装置が熱転写を行なう印刷装置であるとき、前記印刷出力手段は、前記印刷装置における熱量情報を含む前記印刷制御信号を出力する、請求項１に記載の画像印刷装置。
【請求項３】
前記印刷する画像のうち、各々異なる質感で印刷する複数の領域の指定を受付ける領域指定手段をさらに備え、
前記印刷出力手段は、前記印刷装置に対して、前記指定された領域を前記指定された質感で印刷するための前記印刷制御信号を出力する、請求項１または２に記載の画像印刷装置。
【請求項４】
前記印刷装置は質感の異なる複数の印刷媒体を備え、
前記印刷出力手段は、前記印刷装置に対して、前記複数の印刷媒体のうち、前記指定された質感である印刷媒体に前記画像を印刷するための前記印刷制御信号を出力する、請求項１に記載の画像印刷装置。
【請求項５】
前記印刷装置は、各々質感の異なる印刷を行なう複数の印刷装置からなり、
前記印刷出力手段は、前記複数の印刷装置のうち、前記指定された質感で印刷を行なう印刷装置に対して前記印刷制御信号を出力する、請求項１に記載の画像印刷装置。
【請求項６】
前記複数の印刷装置は、各々質感の異なる印刷媒体を備えることで質感の異なる印刷を行なう印刷装置であって、
前記印刷出力手段は、前記指定された質感である印刷媒体を備えることで前記指定された質感で印刷を行なう印刷装置に対して、前記印刷制御信号を出力する、請求項５に記載の画像印刷装置。
【請求項７】
前記質感指定手段は、質感の異なる画像を選択可能な状態で提示して前記質感の指定を受付ける、請求項１〜６のいずれかに記載の画像印刷装置。
【請求項８】
前記提示する質感の異なる画像は、前記印刷装置において印刷された実際の印刷画像である、請求項７に記載の画像印刷装置。
【請求項９】
被写体を撮影する撮影手段をさらに備え、
前記画像指定手段は、前記撮影された画像の中から印刷する画像の指定を受付ける、請求項１〜８のいずれかに記載の画像印刷装置。
【発明の詳細な説明】
【０００１】
【発明の属する技術分野】
この発明は画像印刷装置に関し、特に、質感の選択が可能な画像印刷装置に関する。
【０００２】
【従来の技術】
ユーザが所望する写真を、所望する形態で提供する装置や仕組みがいくつかある。
【０００３】
その１つの装置として、従来より、複数回撮影した画像の中から好みの画像を選択して印刷する写真撮影装置であって、予め決められたレイアウトパターンの中からユーザに選択されたレイアウトで画像を印刷する写真撮影装置が知られいてる。
【０００４】
また、店頭にてユーザから「光沢プリント」や「絹目プリント」等の質感の好みを指定して写真のプリントの注文を受付けて、その指定に応じて写真のプリントを行なう仕組みもある。
【０００５】
【発明が解決しようとする課題】
しかしながら、上述の写真撮影装置を用いた場合、ユーザは、撮影した写真の中から印刷させる好みの画像を選択することができるが、「光沢感ある印刷」や「光沢感を抑えた印刷」等の、質感についての好みを選択することができないという問題があった。また、従来の写真撮影装置では、このようなユーザの質感の好みに応じて印刷方法を選択することができないという問題があった。
【０００６】
一方、上述のように、店頭において質感の好みを指定してプリントを指示する場合には、ユーザは、所望する質感での写真を得ることができるが、例えば１本のフィルムに写っている画像の全て等、所定単位の複数の写真の全ての選択して質感を指定することができても、画像１枚ごとに質感についての好みを選択することが難しいという問題があった。
【０００７】
本発明はこれらの問題に鑑みてなされたものであって、ユーザの所望する画像をユーザの所望する質感で提供することのできる画像印刷装置を提供することを目的とする。
【０００８】
【課題を解決するための手段】
上記目的を達成するために、本発明のある局面に従うと、画像印刷装置は、印刷する画像の指定を受付ける画像指定手段と、画像を印刷する際の質感の指定を受付ける質感指定手段と、指定された質感で画像を印刷するために、印刷装置に対して印刷制御信号を出力する印刷出力手段とを備える。
【０００９】
また、上述の印刷装置が熱転写を行なう印刷装置であるとき、印刷出力手段は、印刷装置における熱量情報を含む印刷制御信号を出力することが望ましい。
【００１０】
また、画像印刷装置は、印刷する画像のうち、各々異なる質感で印刷する複数の領域の指定を受付ける領域指定手段をさらに備え、印刷出力手段は、印刷装置に対して、指定された領域を指定された質感で印刷するための印刷制御信号を出力することが望ましい。
【００１１】
また、上述の印刷装置は質感の異なる複数の印刷媒体を備え、印刷出力手段は、印刷装置に対して、複数の印刷媒体のうち、指定された質感である印刷媒体に画像を印刷するための印刷制御信号を出力することが望ましい。
【００１２】
また、上述の印刷装置は、各々質感の異なる印刷を行なう複数の印刷装置からなり、印刷出力手段は、複数の印刷装置のうち、指定された質感で印刷を行なう印刷装置に対して印刷制御信号を出力することが望ましい。
【００１３】
さらに、上述の複数の印刷装置は、各々質感の異なる印刷媒体を備えることで質感の異なる印刷を行なう印刷装置であって、印刷出力手段は、指定された質感である印刷媒体を備えることで指定された質感で印刷を行なう印刷装置に対して、印刷制御信号を出力することが望ましい。
【００１４】
また、上述の質感指定手段は、質感の異なる画像を選択可能な状態で提示して質感の指定を受付けることが望ましい。
【００１５】
さらに、提示する質感の異なる画像は、印刷装置において印刷された実際の印刷画像であることが望ましい。
【００１６】
また、画像印刷装置は、被写体を撮影する撮影手段をさらに備え、画像指定手段は、撮影された画像の中から印刷する画像の指定を受付けることが望ましい。
【００１７】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００１８】
［第１の実施の形態］
図１は、本実施の形態における写真自動販売機の外観の具体例を示す図である。図１を参照して、本実施の形態における写真自動販売機は、パーソナルコンピュータ（以下、ＰＣと言う）１０１（図３参照）、プリンタ１２、および制御部１０２（基盤）（図３参照）などの各種機器類を納める筐体１と、筐体１と共に撮影ブース４を形成するパネル２と、フレーム材３とを含む。
【００１９】
このような写真自動販売機において、被写体であるユーザ１５は、筐体１、パネル２およびフレーム材３にて構成される撮影ブース４内に入り、筐体１に相対する向きで撮影を行なう。なお、以降の説明において、便宜上、筐体１の紙面に対して左側の面（ユーザ１５から遠い側の面）を背面とする。また、筐体１の紙面に対して右側の面（ユーザ１５が相対する面）を正面とする。また、本実施の形態においては、被写体がユーザ１５であるものとして説明を行なうが、被写体はユーザ１５に限定されず、その他の物体であっても構わない。また、被写体であるユーザ１５は、図１においては、１人であるものとして示されているが、複数であっても構わない。
【００２０】
上述のパネル２が木製である場合には、左側面（図１の手前側）、右側面（図１の奥）、背面（図１の右側）、および天井面（図１の上側）等に大きく分割されている。さらに、背面のパネル２は大きいことから、上下または左右に２枚に分割されている場合がある。また、撮影ブース４の内部となるパネル２の裏面は、照明の反射による間接光を目的とする場合は白色、逆に光を吸収させたい時は黒色、クロマキー合成を行なう目的の時は青色等の色彩が施される。すなわち、パネル２の裏面の色は、当該写真自動販売機がどのような撮影を行なうかによって、設計開発時に適宜選ばれる。また、パネル２は、布またはビニル材で代替することもでき、その場合には、フレーム材３にたるみなく張られた状態で固定され備えられる。
【００２１】
プリンタ１２は、撮影された画像を紙やシールや金属やプラスティック等の印刷媒体に印刷するためのプリンタであって、昇華型プリンタやサーモオートクローム方式（光定着型直接感熱記録方式）等のプリンタが一般的である。なお、本実施の形態においては、プリンタ１２でシールが印刷されるものとして説明を行なうが、印刷媒体はシールに限定されず、上に示す他の印刷媒体であっても同様の処理が実行される。このプリンタ１２については、後にさらなる説明を行なう。
【００２２】
さらに、撮影ブース４内には背景カーテン５が配備され、撮影時の背景として用いられる。背景の色によって、被写体の写り方、特に色調が変わってくるため、様々な色、柄のカーテンが複数枚用意されている。また、背景カーテン５が備えられていなくても構わない。さらに、背景カーテン５は、巻上げ式、引出し方式等、ユーザ１５の操作によりセットされてもよいし、操作部２４（図２参照）等を操作することで自動でセットされてもよい。また、背景カーテン５は、様々な種類が配備されることで、撮影における遊びの要素ともなり得る。
【００２３】
また、ユーザ１５が撮影ブース４内に出入りできるように、当該写真自動販売機の側面は開けられているが、撮影が妨げられないよう、また外部光を遮断するためなどの理由で、その側面にサイドカーテン６を備える。なお、撮影ブース４への出入が一方の側面のみである場合には、その側面にのみサイドカーテン６が備えられていてもよい。また、両側面から出入できる場合には、両側面にサイドカーテン６が備えられていてもよい。ユーザ１５は、撮影を行なう際には、このサイドカーテン６を開けて撮影ブース４に入り、撮影時はサイドカーテン６を閉める。なお、サイドカーテン６の裏面（撮影ブース４側）の色等は、背景カーテン５やパネル２内面と同様の理由で適宜選ばれる。
【００２４】
さらに写真自動販売機の外側には、メインポスター７と、バックドア８と、プリント取出口９と、タブレットディスプレイ１３とが備えられる。
【００２５】
バックドア８は、筐体１の背面に備えられるドアであって、バックドア８を開けることで筐体１の内部のメンテナンスを行なうことができる。なお、通常は、錠が掛けられており、いたずら等が防止されている。
【００２６】
プリント取出口９もまた筐体１の背面に備えられ、箱型の形状を奏している。プリンタ１２でプリントされた写真が排出され、ここに落とされる。そして、ユーザ１５は、プリント取出口９よりプリントされた写真を取出す。なお、プリント取出口９付近には印刷中ＬＥＤ（Ｌｉｇｈｔ　Ｅｍｉｔｔｉｎｇ　Ｄｉｏｄｅ）１０および印刷エラーＬＥＤ１１とが備えられ、それらが点灯あるいは点滅することによって、ユーザ１５は、印刷中であるという状態、あるいは印刷中に用紙切れ、インク切れ、用紙詰まり、メカニカルエラーなどのエラーが発生しているという状態を知ることができる。
【００２７】
タブレットディスプレイ１３は、筐体１の側面に備えられるディスプレイであって、撮影後の画像を表示する。また、ユーザ１５より、その画像に対してタブレットペン１４を用いた編集入力（らくがき）を受付ける。なお、タブレットペン１４は、ペン形状の入力装置であって、タブレットディスプレイ１３にタッチすることで、背景、スタンプ、フレームなどの画像や文字の入力、または使用する項目（ボタン）の選択、操作の選択などの入力をすることができる。タブレットペン１４は、図１に示されるように１つのみ備えられてもよいし、複数のユーザ１５で編集入力が可能なように、複数備えられていてもよい。
【００２８】
メインポスター７は、当該写真自動販売機の商品名や製造メーカーや商品イメージ等を広告するためのポスターであって、当該写真自動販売機の最も目立つ位置に備えられる。
【００２９】
さらに、図２に、上述の筐体１を正面（撮影ブース４内方向）から見た具体例を示す。
【００３０】
図２を参照して、筐体１の正面、すなわち被写体であるユーザ１５と相対する面には、カメラ２１およびモニタ２２を含み、レール２０に沿って上下するカメラユニット１９と、デモンストレーション（以下、「デモ」と略す）音声や、ＢＧＭ、操作方法などのアナウンスを出力するスピーカ２３と、デモ画面や撮影中の操作手順、ユーザ１５へのアナウンスなどを表示する操作ディスプレイ２５と、操作ディスプレイ２５に表示される内容を選択決定するためのボタンや項目選択の上下移動ボタンや決定ボタンやキャンセルボタンなどから構成される操作部２４と、対価である硬貨を投入するためのコイン投入口２６と、前面のメンテナンス等を行なうためのドアであって、錠２７によって施錠されているフロントドア２８とが備えられる。
【００３１】
なお、上述のカメラユニット１９は、図２においてはカメラ２１を横向きに備えているが、カメラユニット１９自体を回転することにより縦向きでの撮影もできるようになっている。さらにカメラユニット１９には、回転しやすいように、取っ手（図示せず）が取付けられてもよい。
【００３２】
カメラユニット１９に備えられるカメラ２１としては、デジタルカメラが用いられる。一般的なデジタルカメラで設定できる項目（たとえばシャッタスピード、絞り値、露出補正、ホワイトバランスなど）の変更や、撮影タイミングは、ＰＣ１０１（図３参照）から指示される。
【００３３】
また、筐体１の側面であって、カメラユニット１９の左右には照明ボックス１８が備えられる。照明ボックス１８は、その内部に、常時点灯している蛍光灯等の照明装置３０や、撮影時に撮影と同期して点灯するフラッシュ３１（共に図３参照）を備える。さらに、効果的な照明を行なうために、その内部に複数の蛍光灯等の照明装置３０およびフラッシュ３１が備えられることが望ましい。また、その内部には、光を拡散する拡散板または反射板（図示せず）が取付けられる。それによって、フラッシュ３１がそれらに照射して、当該写真自動販売機では間接光で撮影を行なうことができる。なぜなら、直接光よりも間接光の方が当たりの柔らかな光であるため、自然な光で撮影を行なうことができる。さらに、照明ボックス１８の前面には光を拡散または透過するアクリル板（図示せず）が設置されている。また、照明ボックス１８の正面側は図２ではフラットな面であるが、被写体であるユーザ１５に光が向くように傾斜した形状であることが望ましい。
【００３４】
さらに、筐体１の側面であって、照明ボックス１８の外面には、前述のタブレットディスプレイ１３とタブレットペン１４とが備えられる。
【００３５】
また、筐体１の上面には、筐体１内部の熱を逃がすためのファン１６と、外部装置への画像の配信、リモートメンテナンスなどの、外部装置との通信を行なうときにケーブルを差込むためのＬＡＮ（Ｌｏｃａｌ　Ａｒｅａ　Ｎｅｔｗｏｒｋ）ケーブル差込口１７とを備える。
【００３６】
なお、図２においては、ファン１６とＬＡＮケーブル差込口１７とは筐体１の上面に備えられているが、ファン１６は、筐体１内部の熱を逃がす目的で備えられるものであるため、熱を発生しやすい機器類の近傍等、他の場所に備えられても、また複数備えられても構わない。また、ＬＡＮケーブル差込口１７が備えられる位置も、ケーブルの配線の取回しが容易な位置であれば上面に限定されない。
【００３７】
次に、図３に、本実施の形態における写真自動販売機の機能ブロック図を示し、写真自動販売機の機能について説明する。
【００３８】
図３を参照して、写真自動販売機は、当該写真自動販売機を動作させるためのＰＣ１０１と、基盤から構成され動作中のＰＣ１０１からの指示を受付けて接続されている各種装置を制御する制御部１０２とを備える。
【００３９】
さらに、上述のＰＣ１０１は、ＰＣ１０１の制御を行なう演算装置であるＣＰＵ（Ｃｅｎｔｒａｌ　Ｐｒｏｃｅｓｓｉｎｇ　Ｕｎｉｔ）と、装置を動作させるためのプログラムおよびプログラムで必要なグラフィックデータ、音声データ、撮影された画像や撮影画像に対して入力した編集画像などの各種画像などを記憶する記憶装置と、プログラムの一時的な作業領域ともなるメモリと、カメラ２１、プリンタ１２、タブレットディスプレイ１３、操作ディスプレイ２５などの周辺機器を制御するためのソフトウェアであるドライバと、ＬＡＮケーブルを介して外部機器と接続された場合に通信を行なう通信部とを含む。なお、ＰＣ１０１は、電源スイッチ２９が押され、当該写真自動販売機に電源プラグより電源が投入されると、上記プログラムが起動されて動作する。このＰＣ１０１の構成については、後にさらに機能ブロック図を挙げて詳述する。
【００４０】
また、写真自動販売機は、電源を必要とするファン１６、モニタ２２、スピーカ２３、操作ディスプレイ２５、照明装置３０、およびフラッシュ３１などの電源系統を制御する電源制御部１０３を備え、外部からそれらの装置に対する電源の電圧を安定させるよう制御する。さらに、そのような電源の投入および切断は、電源スイッチ２９を押すことで行なわれる。しかし、電源切断によりＰＣ１０１で動作しているプログラムを強制的に終了させることは、動作を不安定にさせる原因となる。そのため、電源が落とされても、しばらくはＵＰＳ（Ｕｎｉｎｔｅｒｒｕｐｔｅｄ　Ｐｏｗｅｒ　Ｓｕｐｐｌｙ）１０４が電源をバックアップし、ＰＣ１０１に停電信号を送信する。その間に、ＰＣ１０１はプログラムの終了の手続きを行ない、プログラムを正常に終了させることができる。
【００４１】
上述の制御部１０２は、サービスパネル１０５から制御信号を受付ける。サービスパネル１０５は、投入されたコインの枚数をカウントするコインカウンタ、印刷されたプリントの枚数をカウントするプリントカウンタ、スピーカ２３から出力する音声のボリューム、テストモードを行なうためのテストボタン、コインを投入しなくても装置が利用できるようにするためのサービスボタン等を備えるパネルであって、当該写真自動販売機の設置者が各種設定やメンテナンスの操作を行なう際に用いる。また、上述の如く、本実施の形態における写真自動販売機は、タブレットディスプレイ１３を選択的に設置できるため、その設置箇所の入力も、上述のテストモードで行なうことができる。
【００４２】
また、制御部１０２は、操作部２４、サービスパネル１０５、コイン制御部１０７からの信号を受付けＰＣ１０１に通知したり、逆に、ＰＣ１０１からの制御信号（指示コマンドなど）によりサービスパネル１０５、フラッシュ制御部１０６、フラッシュ３１、コイン制御部１０７、印刷中ＬＥＤ１０、印刷エラーＬＥＤ１１を制御したりする。
【００４３】
コイン制御部１０７では、コイン投入口２６に投入されたコインの正当性を検出し、制御部１０２にコインが投入された信号を送る。逆に、コイン投入を禁止するときは、コイン制御部１０７は制御部１０２からの信号によりコイン投入口をブロックすることができる。
【００４４】
サービスパネル１０５では、テストボタン、サービスボタンが押下された信号を制御部１０２に送る。逆に、制御部１０２からの信号により、コインカウンタ、プリントカウンタを動作させる（例えばカウンタを１インクリメントする）。また、ＰＣ１０１から出力される音声を、サービスパネル１０５上のボリュームにより制御部１０２を介してスピーカ２３への出力を制御する。
【００４５】
操作部２４では、操作部２４での入力信号を制御部１０２に送る。入力信号はＰＣ１０１に送信され、ＰＣ１０１では、操作内容に応じた処理が行なわれる。
【００４６】
さらに、プリンタ１２の状態がＰＣ１０１に通知され、ＰＣ１０１は、その状態に応じて制御部１０２に信号を送出する。その信号によって、印刷中ＬＥＤ１０または印刷エラーＬＥＤ１１が点灯または点滅する。
【００４７】
さらに、複数備わるフラッシュ３１のうち照射させるフラッシュの選択、光量調節、充電調節などの制御を行なうために、上述のＰＣ１０１からの制御信号が制御部１０２を介してフラッシュ制御部１０６に送られる。また、フラッシュ制御部１０６では、カメラのシャッタに同期して照明されるようにフラッシュ３１が制御される。
【００４８】
なお、言うまでもなく、写真自動販売機の形態は、図１〜図３に示される具体例に限定されるものではない。すなわち、図１〜図３に記載されない他の機能が備えられていてもよいし、図１〜図３に記載されている機能が全て備えられていなくても構わない。例えば、プリンタ１２は写真自動販売機に含まれていなくてもよく、その場合、写真自動販売機は、ＬＡＮ（Ｌｏｃａｌ　Ａｒｅａ　Ｎｅｔｗｏｒｋ）等の専用回線や無線通信等を介して印刷制御信号をプリンタ１２に出力するものとする。
【００４９】
次に、図４のフローチャートに基づいて、本実施の形態における写真自動販売機での処理について説明する。図４のフローチャートに示される処理は、ＰＣ１０１のＣＰＵが、記憶装置に記憶されるプログラムをメモリに読出して実行することによって実現される。
【００５０】
まず、当該写真自動販売機に備わる電源スイッチ２９が投入されると、各種装置の電源が投入される。すると、ＰＣ１０１の記憶装置に格納された動作プログラムが起動する。ＰＣ１０１は、各種装置が正常に接続されているかチェックし、初期化が必要な装置に対しては初期化を行なう。その後、当該写真自動販売機の利用を促すタイトルデモを操作ディスプレイ２５に表示し、同時に音声をスピーカ２３から出力する（Ｓ１００）。
【００５１】
タイトルデモが表示されている状態で、コイン投入口２６において、当該写真自動販売機を利用するのためのコインの投入を受付ける（Ｓ１１０）。なお、上述のコインの受付けに替えて、タイトルデモ表示中にテストボタンを押下することによって、当該写真自動販売機のメンテナンスを行なうためのテストモードが起動する。
【００５２】
テストモードは、当該写真自動販売機の設置者が操作するためのモードであり、当該写真自動販売機の利用状況の確認（たとえばコイン投入数など）や、カメラ２１、プリンタ１２など周辺機器の調整ができる。
【００５３】
ここで当該写真自動販売機の設置者とは、当該写真自動販売機を設置し営業を行なっている店舗等の経営者、管理者、および従業員であり、営業中に、利用者に対応できる者である。
【００５４】
ステップＳ１１０で受付けたコインは、コイン制御部１０７において正当性や枚数等が検知される。そして、正常にコインを受付けるとプレイが開始される。
【００５５】
まず、当該写真自動販売機における処理（プレイ）は、撮影から始まる。始めに、カメラ２１が取得する画像を、モニタ２２にリアルタイムに表示する。ユーザ１５は、モニタ２２に表示される画像を見ながら、好みの表情やポーズをとることができる。なお、ここでは、カメラ２１が取得した画像をそのままモニタ２２に表示しても構わないし、左右に反転処理して表示しても構わない。左右に反転処理して表示した場合、ユーザ１５の姿を鏡に写す方向と同じ方向でモニタ２２に表示することができる。そのため、ユーザ１５は、モニタ２２を見ながら好みの表情やポーズをとることが容易になる。
【００５６】
次に、撮影方法に複数のモードがある場合は、その選択肢を操作ディスプレイ２５に提示し、操作部２４のボタン等で好みの撮影モードをユーザ１５から受付ける（Ｓ１２０）。そして、選択された撮影モードで撮影を開始する（Ｓ１３０）。
【００５７】
また、ここでは、撮影モードだけでなく、ユーザ１５は、操作ディスプレイ２５に表示される操作画面およびスピーカ２３から流れる音声に従って、背景カーテン５の選択したり、カメラユニット１９を好みの位置に移動させたり、カメラ２１の向きを回転調整したりできる。これらの指示は、操作ディスプレイ２５や、操作部２４を構成するボタン等で受付ける。さらに、カメラユニット１９にカメラ２１の向きやズーム等の指示を行なうボタン等が備えられる場合には、それによってカメラ２１の向きやズーム等の指示を受付ける。そして、受付けた撮影モードや背景カーテン５等で撮影を行なう。
【００５８】
撮影は、時間経過と共に「３．２．１」などのカウントダウンを操作ディスプレイ２５あるいはスピーカ２３に出力して自動で行なうことができる。また、カメラ２１の近傍に設けられた撮影ボタン（図示せず）を押下することで行なってもよい。
【００５９】
また、撮影モードによって撮影で使用するフラッシュ３１が異なる場合（例えば右からの照明だけなど）は、ここで、ＰＣ１０１からの指示により、フラッシュ制御部１０６が点灯させるフラッシュの切替えを行なう。
【００６０】
撮影は、ＰＣ１０１からカメラ２１に撮影信号が送信されることでシャッタが切られ、実行される。同時に、カメラ２１からはフラッシュ制御部１０６に同期信号が送信され、撮影と同期してフラッシュ３１が点灯する。ステップＳ１３０では、このような撮影を所定回数繰返し行なう。
【００６１】
撮影が終了すると、ユーザ１５をタブレットディスプレイ１３の前に誘導するアナウンス（例えば、「らくがきは左の画面でしてね！」）を操作ディスプレイ２５に表示する。さらに、同時に、スピーカ２３により音声でアナウンスすればより効果的である。その表示に従って、ユーザ１５は撮影ブース４を出て、タブレットディスプレイ１３の前に移動する。
【００６２】
同時に、撮影が終了すると、撮影した画像をタブレットディスプレイ１３に全て表示する。そして、その中からユーザ１５が気に入った画像をタブレットペン１４でタッチされることによって受付ける（Ｓ１４０）。
【００６３】
ユーザ１５からの選択を受付けると、選択された画像をタブレットディスプレイ１３に表示する。そして、さらに、撮影画像自体の明るさ調整（ハイキー調整）、回転等の画像処理を行なう画面が表示され、ユーザ１５の好みにより撮影した画像を調整または加工することができる。
【００６４】
次に、選択された撮影画像に対して、ユーザ１５からタブレットペン１４により編集入力を受付ける（Ｓ１５０）。
【００６５】
編集入力中、タブレットディスプレイ１３に、撮影された画像と入力する画像とを切替えるためのボタンや、画像を切替えて編集を行なうための「背景」「フレーム」「ペン」「スタンプ」「消しゴム」「やり直し」などのボタンを表示する。ユーザ１５は、これらのボタンをタブレットペン１４で押すことで使用するツールを選択する。さらに、色、柄等を選択した後、表示された画像上で編集入力を行なう。編集中には、編集入力された画像と撮影された画像との画像合成をリアルタイムに実行し、タブレットディスプレイ１３に表示する。
【００６６】
編集入力時間は、予め設定されている。そして、タブレットディスプレイ１３上に残り時間を表示し、カウントダウンを行なう。残り時間が０になると編集入力が終了する。または、画面に用意された「終了」ボタンを押すことで強制的に終了させることもできる。
【００６７】
編集入力が終了すると、合成された画像をタブレットディスプレイ１３に表示する。そして、ユーザ１５から、シール等の印刷媒体に印刷する画像の選択を受付ける（Ｓ１６０）。また、編集入力に失敗した画像などを印刷しないような選択を受付けることもできる。
【００６８】
そして、選択された画像の枚数に応じて、予め決められた複数の印刷レイアウトをタブレットディスプレイ１３に表示し、ユーザ１５の選択を受付ける（Ｓ１７０）。
【００６９】
さらに、本実施の形態においては、ここで印刷される写真の質感の選択を受付けることを特徴とする（Ｓ１８０）。ステップＳ１８０では、例えば図５に示されるような質感の選択画面を操作ディスプレイ２５に表示し、ユーザ１５から質感の選択を受付ける。
【００７０】
ここで受付ける質感として、「光沢あり」あるいは「光沢なし」が挙げられるが、選択される質感はこれらに限定されるものではなく、その他の質感であっても構わない。以降において、ここで、シールに光沢のある質感での印刷を行なうか、光沢のないマット調の質感での印刷を行なうかの選択を行なうものとして説明を行なう。
【００７１】
なお、このような光沢の具合は、ディスプレイ表示ではユーザ１５に伝わりにくい場合もある。そのため、「光沢あり」のディスプレイ表示により光沢感を強調して、光沢の具体がユーザ１５にわかりやすいように操作ディスプレイ２５に表示することが好ましい。
【００７２】
また、図６に示すように、光沢ある質感での印刷と光沢のないマット調の印刷とを行なった実際のシールを、質感サンプル４０として操作ディスプレイ２５の近傍にてユーザ１５に提示することも好ましい。
【００７３】
さらに、ステップＳ１８０では、「光沢あり」、「光沢なし」のみならず、セピア調、白黒調、カラー、ハイキー、ローキー等との組合わせをメニューとして選択肢に備え、このような組合わせの選択を受付けてもよい。このように、照明方法や撮影方法や画像処理方法等と質感とを組合わせることで、多様な印刷結果を得ることができる。
【００７４】
このような組合わせを画面上に表示させることもできるし、そのサンプルを質感サンプル４０として提示することもできるし、デモ画像として出力することもできる。このようにすることで、多様な写真効果を印刷前にユーザ１５に提案することができ、ユーザ１５の選択の幅を広げることができる。
【００７５】
なお、ステップＳ１８０では、質感の選択を受付けずに次のステップに進むこともできる。すなわち、予めデフォルトとしていずれか（「光沢あり」、あるいは「光沢なし」）の質感を設定しておき、ユーザ１５からの選択がない場合、あるいは図示しない「どちらでもよい」の選択を行なった場合に、デフォルトで設定された質感を設定して次のステップに進むこともできる。さらに、ここでのデフォルトの設定は、上述のテストモードで、当該写真自動販売機の設置者が設定可能であってもよい。このようにすることで、人気の高い方の質感等、設置者が任意に設定することができる。
【００７６】
印刷する画像の選択と印刷レイアウトと質感の選択とを受付けると、プリンタ１２に、印刷画像データと、印刷レイアウトデータと、質感信号とを含む印刷制御信号を出力する。さらに、ユーザ１５をプリンタ１２の前に誘導するアナウンス（たとえば「シールは左から出るよ！」）を表示する。そして、プリンタ１２で印刷を実行し（Ｓ１９０）、プリント取出口９よりユーザ１５に提供する（Ｓ２００）。
【００７７】
以上の処理が、１組のユーザ１５が本実施の形態の写真自動販売機で行なうプレイである。そして、上述の処理を終了すると、次にコインが投入されるまで、再度タイトルデモを操作ディスプレイ２５およびスピーカ２３から出力する。
【００７８】
次に、上述のステップＳ１８０で受付けた質感で撮影画像を印刷する処理について説明する。
【００７９】
第１の実施の形態においては、プリンタ１２として昇華型プリンタを用いる。ここで昇華型プリンタにおける印刷の仕組みを簡単に説明する。
【００８０】
昇華型プリンタでは、転写紙に設けられたイエロー（Ｙ）、マゼンタ（Ｍ）、シアン（Ｃ）のインクを印刷媒体に熱転写することで画像の印刷を行なう。そしてさらに、インクの拡散を助長して発色を鮮明にするために印刷媒体の再加熱を行なう。
【００８１】
このような昇華型プリンタにおいて、再加熱を行なう際の熱量が所定の熱量以上の場合には、印刷媒体表面に凹凸が発生し、仕上がりが光沢のないものとなる。すなわち、再加熱を行なう際の熱量を調節して所定の熱量以下とすることで、光沢のある印刷を実現することができ、所定の熱量以上とすることで、光沢のないマット調の印刷を実現することができる。なお、このような昇華型プリンタでの光沢ある記録画像、またはつや消しの記録画像を得る方法は、特公平６−９８８１２等で開示されている。
【００８２】
また、上述の他に、イエロー（Ｙ）、マゼンタ（Ｍ）、シアン（Ｃ）のインクを印刷媒体に熱転写後、さらに加熱してその上から薄い保護材を印刷媒体に付着させる昇華型プリンタもある。そのような昇華型プリンタでは、保護材を付着させるための熱量が所定の熱量以上の場合に、仕上がりが光沢のないものとなる。このように、保護材を付着させるための熱量を制御することによっても、昇華型プリンタにおいて光沢ある記録画像、またはつや消しの記録画像を得ることができる。
【００８３】
本実施の形態においては、昇華型プリンタであるプリンタ１２のこのような特性を利用して、ステップＳ１８０でユーザ１５から選択された質感での印刷を実現する。
【００８４】
そこで、第１の実施の形態におけるＰＣ１０１の構成について、さらに図７を用いて説明を行なう。
【００８５】
図７を参照して、本実施の形態におけるＰＣ１０１は、上述の如く、ＣＰＵ１０１１と、メモリ１０１２と、ドライバ１０１３と、記憶装置１０１４と、通信部１０１５とを含む。さらに、カメラ２１に対してシャッタ信号等を出力し、カメラ２１で取得した撮影画像データの入力を受付けるカメラＩ／Ｆ（インタフェース）１０１６と、操作ディスプレイ２５に表示する情報を出力し、操作ディスプレイ２５から操作信号等の入力を受付ける操作ディスプレイＩ／Ｆ１０１７と、制御部１０２と制御信号のやり取りを行なう制御部Ｉ／Ｆ１０１８と、タブレットディスプレイ１３に表示する情報を出力し、タブレットディスプレイ１３から選択信号等の入力を受付けるタブレットディスプレイＩ／Ｆ１０１９と、プリンタ１２へ印刷画像データ、印刷レイアウトデータ、および質感信号等を含む印刷制御信号を出力し、プリンタ１２から状態を示す情報等を受付けるプリンタＩ／Ｆ１０２１と、昇華型プリンタであるプリンタ１２で印刷するための熱量を制御する熱量制御部１０２０とを含む。
【００８６】
このようなＰＣ１０１においては、ステップＳ１８０で質感の選択がなされると、図８に示す次のような処理が実行される。なお、図８のフローチャートに示す処理は、ＰＣ１０１のＣＰＵ１０１１が、記憶装置１０１４に記憶されるプログラムを読出し、メモリ１０１２上に展開して実行することによって実現される。
【００８７】
図８を参照して、始めに、操作ディスプレイＩ／Ｆ１０１７において、操作ディスプレイ２５上でユーザ１５より選択された質感情報を受付ける（Ｓ２０１）。受付けた質感情報は、熱量制御部１０２０に渡される。
【００８８】
次に、熱量制御部１０２０は、質感情報に基づいてプリンタ１２において選択された質感で印刷するために必要な熱量を算出する（Ｓ２０３）。算出された熱量情報は、プリンタＩ／Ｆ１０２１に渡される。
【００８９】
次に、プリンタＩ／Ｆ１０２１は、算出された熱量で印刷するための質感信号と、印刷画像データと印刷レイアウトデータとを含む印刷制御信号を、プリンタ１２に出力する（Ｓ２０５）。
【００９０】
ＰＣ１０１において上述の処理が実行されることで、本実施の形態における写真自動販売機では、ステップＳ１８０でユーザ１５から選択された質感（「光沢あり」、あるいは「光沢なし」）でプリンタ１２において撮影画像が印刷される。このため、ユーザ１５の好みに応じたプリントを提供することができる。
【００９１】
また、本実施の形態においては、プリンタ１２として昇華型プリンタを用いることで、その熱量を制御するだけで印刷される写真の質感の制御を行なうことができ、装置として容易に構築することができる。
【００９２】
なお、上述のステップＳ１８０において、図５に示す質感の選択画面で「光沢あり」の質感の選択を受付けた後に、図９に示す光沢の範囲の選択画面を操作ディスプレイ２５に表示し、ユーザ１５からさらに光沢の範囲の選択を受付けることもできる。
【００９３】
これは、１枚の印刷媒体であるシールに複数の写真を印刷する印刷レイアウトがステップＳ１７０で選択された場合に有効であって、複数の写真のうち、所定の領域にある写真のみ「光沢あり」で印刷させ、その他の領域にある写真は「光沢なし」で印刷させる設定を受付ける。
【００９４】
このような選択を受付けた場合にも、ＰＣ１０１は図８のフローチャートに示される処理と同様の処理を実行し、ステップＳ２０３で熱量制御部１０２０において領域ごとの熱量を算出する。そして、ステップＳ２０５で、プリンタＩ／Ｆ１０２１は、領域ごとに算出された熱量で印刷するよう、プリンタ１２に対して質感信号を含む印刷制御信号を出力する。
【００９５】
このような処理が実行されることによっても、本実施の形態における写真自動販売で、ユーザ１５の好みにさらに細やかに応じたプリントを提供することができる。
【００９６】
［第２の実施の形態］
第２の実施の形態においては、上述の図１〜図３に示される写真自動販売機において、異なる質感の印刷媒体を複数備え、図４のフローチャートに示される処理を実行する際に、ステップＳ１８０でユーザ１５から選択された質感に応じた印刷媒体を選択して印刷を実現する。すなわち、本実施の形態においては、プリンタ１２に、質感の異なる印刷媒体を複数備えることを特徴とし、その備えられる印刷媒体の質感の違いで質感を制御する。
【００９７】
第２の実施の形態におけるＰＣ１０１の構成について、図１０を用いて説明を行なう。
【００９８】
図１０を参照して、本実施の形態におけるＰＣ１０１もまた、上述と同様に、ＣＰＵ１０１１と、メモリ１０１２と、ドライバ１０１３と、記憶装置１０１４と、通信部１０１５と、カメラＩ／Ｆ１０１６と、操作ディスプレイＩ／Ｆ１０１７と、制御部Ｉ／Ｆ１０１８と、タブレットディスプレイＩ／Ｆ１０１９と、プリンタＩ／Ｆ１０２１とを含む。さらに、本実施の形態においてＰＣ１０１は、印刷媒体制御部１０２２を含む。
【００９９】
さらに、図１０を参照して、実施の形態におけるプリンタ１２は、印刷部１２１が印刷するための印刷媒体として質感の異なる印刷媒体１２２ａ，１２２ｂとを備える。この場合においては、「光沢あり」の質感と、「光沢なし」の質感との２種類の印刷媒体１２２ａ，１２２ｂを備える。そして、印刷媒体切換部１２３で切換えることで、印刷部１２１は、適した印刷媒体１２２に画像を印刷する。
【０１００】
このようなＰＣ１０１においては、ステップＳ１８０で質感の選択がなされると、図１１に示す次のような処理が実行される。
【０１０１】
図１１を参照して、始めに、操作ディスプレイＩ／Ｆ１０１７において、操作ディスプレイ２５上でユーザ１５より選択された質感情報を受付ける（Ｓ３０１）。受付けた質感情報は、印刷媒体制御部１０２２に渡される。
【０１０２】
次に、印刷媒体制御部１０２２は、質感情報に基づいてプリンタ１２で当該質感で印刷するたの印刷媒体１２２を決定する（Ｓ３０３）。決定された印刷媒体情報は、プリンタＩ／Ｆ１０２１に渡される。
【０１０３】
次に、プリンタＩ／Ｆ１０２１は、決定された印刷媒体１２２に印刷するための印刷媒体切換信号と、印刷画像データと印刷レイアウトデータとを含む印刷制御信号をプリンタ１２に出力する（Ｓ３０５）。
【０１０４】
さらに、上述の印刷媒体切換信号をＰＣ１０１から受信すると、プリンタ１２の印刷媒体切換部１２３において印刷部１２１で印刷する印刷媒体１２２を切換え、選択された質感の印刷媒体１２２に画像の印刷を実行する。
【０１０５】
ＰＣ１０１において上述の処理が実行されることで、本実施の形態における写真自動販売機では、プリンタ１２において、ステップＳ１８０でユーザ１５から選択された質感の印刷媒体（シール）に撮影画像が印刷される。このため、ユーザ１５の好みに応じたプリントを提供することができる。
【０１０６】
また、本実施の形態においては、印刷媒体１２２ａ，１２２ｂとして、光沢のある印刷媒体とマット調の印刷媒体とを用いるために、質感の違いがより明瞭になる。すなわち、光沢のある印刷媒体を用いることで、色合いのくっきりとした写真を提供することができ、マット調の印刷媒体を用いることで、しっとりとした独特の風合いのある写真を提供することができる。
【０１０７】
［第３の実施の形態］
第３の実施の形態においては、上述の図１〜図３に示される写真自動販売機において、各々質感の異なる印刷媒体を備えるプリンタ１２を複数台備え、図４のフローチャートに示される処理を実行する際に、ステップＳ１８０でユーザ１５から選択された質感で印刷できるプリンタ１２を選択する。
【０１０８】
第３の実施の形態におけるＰＣ１０１の構成について、図１２を用いて説明を行なう。
【０１０９】
図１２を参照して、本実施の形態におけるＰＣ１０１もまた、上述と同様に、ＣＰＵ１０１１と、メモリ１０１２と、ドライバ１０１３と、記憶装置１０１４と、通信部１０１５と、カメラＩ／Ｆ１０１６と、操作ディスプレイＩ／Ｆ１０１７と、制御部Ｉ／Ｆ１０１８と、タブレットディスプレイＩ／Ｆ１０１９とを含む。さらに、本実施の形態においてＰＣ１０１は、プリンタ切換制御部１０２３と、複数のプリンタ１２ａ，ｂにデータを送信するための複数のプリンタＩ／Ｆ１０２１ａ，ｂと、複数のプリンタＩ／Ｆ１０２１ａ，ｂとを含む。
【０１１０】
さらに、図１２を参照して、実施の形態におけるプリンタ１２は、プリンタ１２ａとプリンタ１２ｂとからなり、プリンタ１２ａは「光沢あり」の質感の印刷媒体１２２ａを備え、プリンタ１２ｂは「光沢なし」の質感の印刷媒体１２２ｂを備える。
【０１１１】
このようなＰＣ１０１においては、ステップＳ１８０で質感の選択がなされると、図１３に示す次のような処理が実行される。
【０１１２】
図１３を参照して、始めに、操作ディスプレイＩ／Ｆ１０１７において、操作ディスプレイ２５上でユーザ１５より選択された質感情報を受付ける（Ｓ４０１）。受付けた質感情報は、プリンタ切換制御部１０２３に渡される。
【０１１３】
次に、プリンタ切換制御部１０２３は、質感情報に基づいて、印刷を行なうプリンタ１２を決定する（Ｓ４０３）。
【０１１４】
そして、決定されたプリンタ１２で印刷処理を行なわせるため、決定されたプリンタ１２と通信を行なうプリンタＩ／Ｆ１０２１から、印刷画像データと印刷レイアウトデータとを含む印刷制御信号をプリンタ１２に出力する（Ｓ４０５）。
【０１１５】
なお、プリンタＩ／Ｆ１０２１が複数のプリンタ１２ａ，ｂと通信可能な場合には、上述のステップＳ４０５において、プリンタＩ／Ｆ１０２１は、ステップＳ４０３で決定したプリンタで印刷するためのプリンタ指定情報を含む印刷制御信号を出力する。
【０１１６】
ＰＣ１０１において上述の処理が実行されることで、本実施の形態における写真自動販売機では、ステップＳ１８０でユーザ１５から選択された質感の印刷媒体（シール）を備えるプリンタ１２において、撮影画像が印刷される。このため、ユーザ１５の好みに応じたプリントを提供することができる。
【０１１７】
また、本実施の形態においては、ＰＣ１０１では印刷するプリンタを決定して指定する処理を行なうだけでよいため、ＰＣ１０１での処理が容易になる。
【０１１８】
［変形例］
なお、上述の第３の実施の形態においては、複数のプリンタ１２ａ，ｂが、各々「光沢あり」あるいは「光沢なし」の印刷媒体を備えるものとして説明を行なったが、質感の違いは、上述の質感に限定されず、変形例として、プリンタ自体の属性の違いを利用して質感を制御することもできる。
【０１１９】
例えば、写真自動販売機において用いられるプリンタ１２として、上述の昇華型プリンタと、サーモオートクローム方式（光定着型直接感熱記録方式）のプリンタ（以下、ＴＡプリンタと言う）と、インクジェットプリント等が考えられる。
【０１２０】
ここで、各々のプリンタの属性による質感の違いについて説明する。
先にも述べた昇華型プリンタにおいて印刷された写真は、熱転写を行なうという印刷方法によって、輪郭がはっきりとし、色表現のしっかりした質感となる。また、昇華型プリンタは、熱転写を行なう際に熱転写ローラを印刷媒体に押しつけるために、昇華型プリンタで用いられる印刷媒体は他のプリンタで用いられる印刷媒体に比べて高い平面性が要求される。そのため、他のプリンタに比べて光沢感が高いという質感の特徴もある。
【０１２１】
次に、ＴＡプリンタは、印刷媒体を加熱して印刷媒体に付着している発色カプセルを破裂させて発色させ、光をあてて色を定着させる方法で印刷を行なう。この印刷においては、光沢のないマット紙を用いるため、印刷された写真は色のやわらかな独特の風合いとなる。また、肌色の階調が少なく、濃い色が表現しにくいという特徴もあり、しみ等の顔の凹凸が表現されにくいという特徴もある。このため、人の肌色の階調を表現しやすく、しっとりとした肌の質感が表現された写真となる。また、ＴＡプリンタに用いられる印刷媒体は、他のプリンタで用いられる印刷媒体に比べて厚みがあるという特徴もある。そのため、ユーザ１５が手にしたときの質感に高級感があり、また、シールとして用いる場合には台紙からはがしやすくはりやすいという質感の特徴もある。
【０１２２】
次に、インクジェットプリンタは、基本色のインクの細かなドットによって印刷を行なう。すなわち、実際にインクを混ぜて色を表現せず、隣り合う色のドットが人の目に混ざって見えることで色を表現している。このため、色の表現がやわらかく、やさしい印象の質感を出せるという特徴がある。
【０１２３】
そこで、変形例では、このようなプリンタの属性による質感の選択をステップＳ１８０においてユーザ１５から受付け、図１３のフローチャートに示す処理と同様にして、適するプリンタ１２に印刷画像データと印刷レイアウトデータとを含む印刷制御信号を出力する。あるいは、適するプリンタ１２を指定するプリンタ指定情報を含む印刷制御信号を出力する。このことでも、同様に、ステップＳ１８０でユーザ１５から選択された質感の印刷を行なうプリンタ１２において撮影画像が印刷され、プリンタ自体の属性の違いを利用して、ユーザ１５の好みに応じたプリントを提供することができる。
【０１２４】
なお、言うまでもなく、上述の第１の実施の形態〜第２の実施の形態に記載の質感の制御方法を、組合わせて実行することもできる。
【０１２５】
［第４の実施の形態］
さらに、第４の実施の形態として、プリンタ１２や印刷媒体を用いた質感の制御の他に、画像処理を行なうことで質感を制御することも考えられる。
【０１２６】
具体的には、ステップＳ１８０で「光沢あり」の質感が選択された場合には、ＰＣ１０１において、ＲＧＢやＣＭＹ信号等の各色信号を、ホワイト座標との間で補間を行なうことで光沢感を増すことが可能である。
【０１２７】
また、ステップＳ１８０で「光沢なし」の質感が選択された場合には、ＰＣ１０１において、ＲＧＢやＣＭＹ信号等の各色信号を、各原色座標との間で補間を行なうことで光沢感を抑え、マット調とすることが可能である。
【０１２８】
このように補間処理で質感を制御することは、演算が簡易であり、複雑な処理を必要としないので、ＰＣ１０１において構築することが容易である。
【０１２９】
さらに光沢感を抑えマット調とするために、誤差拡散法等の演算を用いて画像処理を行なうことも有効である。このようにすることで、写真の仕上がりを自然なものにすることができる。
【０１３０】
［第５の実施の形態］
さらに、第５の実施の形態として、部分的に質感を選択することも考えられる。
【０１３１】
具体的には、ステップＳ１８０において、被写体のハイライト部分のみ「光沢あり」とすることを受付けてもよい。このように、ハイライト部分のみ光沢感を増すことで、「光沢あり」の効果が強調される。
【０１３２】
この場合には、従来よりある画像抽出方法を組合わせ、黒髪のハイライト部分等、被写体の所定箇所の光沢加減を調節することで実現できる。このようにすることで、よりリアルに光沢感を表現することができる。言うまでもなく、このような場合には、上述の第１の実施の形態に述べた、熱量の制御で実現することもできる。
【０１３３】
［第６の実施の形態］
さらに、第６の実施の形態として、撮影時の照明を制御することで質感を制御することも考えられる。この場合には、図４ではステップＳ１８０で受付けていた質感の選択を、ステップＳ１２０のモード選択の際に受付ける。
【０１３４】
具体的には、ステップＳ１２０において「光沢あり」の質感が選択された場合には、照明装置３０を制御して光量を高くし、「光沢なし」の質感が選択された場合には光量を抑えることで、質感を制御することができる。
【０１３５】
また、照明装置３０がストロボ光源であって通常撮影時に多数のフラット照明を行なっている場合には、「光沢あり」の質感が選択されたときに、ハイライトが強調される少数のストロボを強く光らせる照明方法とするも有効である。このようにすることで、被写体の少数のストロボに照明された部分が光沢をもち、光沢感の強調された写真を提供することができる。
【０１３６】
また、照明装置３０がストロボ光源である場合に、「光沢あり」の質感が選択されたときに、光沢感のある写真となるようにストロボの色調を制御することも有効である。この場合、ステップＳ１８０において、ユーザ１５より、さらに青白い色調、あるいは黄色っぽい色調等色調の選択を受付けることもできる。このように色調を選択することで光沢の具体が選択でき、ユーザの好みや、撮影時の服装やメイクアップや背景等に応じた光沢具合の写真を提供することができる。
【０１３７】
なお、このように、照明装置３０での照明を制御して質感を制御する場合には、当該写真自動販売機は、照明装置３０での照明を制御する照明制御部（図示せず）をさらに備え、ステップＳ１２０で質感の選択を受付けると、ＰＣ１０１は照明制御部に対して制御信号を出力する。
【０１３８】
［第７の実施の形態］
さらに、第７の実施の形態として、印刷された印刷媒体（シール）の排出前にさらに質感に応じた処理を行なうことも考えられる。このような場合には、当該写真自動販売機は、その処理に応じた処理装置をさらに備え、ステップＳ１８０で質感の選択を受付けると、ＰＣ１０１は処理装置に対して制御信号を出力するものとする。
【０１３９】
具体的には、「光沢あり」の印刷を行なった場合には、印刷された印刷媒体を蛍光コート紙または蛍光透明オーバコート等で覆う処理をさらに実行してもよい。このような処理を行なうことで、さらに強く光ったように、光沢感がより強調される。
【０１４０】
また、最も光沢感ある部分に、ラメをクロスパターンにて挿入する処理をさらに実行してもよい。ラメを挿入する処理については従来より行なわれている処理であるため、ここでは限定されない。このようにすることで、最も光沢感ある部分に光条が入ったような効果をもたせることができ、多様な表現を可能にする。
【０１４１】
［第８の実施の形態］
さらに、第８の実施の形態として、カメラ２１で撮影を行なう際に、偏光フィルタを用いることで所望の質感をもたせることも考えられる。この場合、当該写真撮影装置は、偏光フィルタと、偏光フィルタの設置を制御する制御装置とをさらに備える。
【０１４２】
さらにこの場合には、図４ではステップＳ１８０で受付けていた質感の選択を、ステップＳ１２０のモード選択の際に受付ける。そして、ステップＳ１２０で質感の選択を受付けると、ＰＣ１０１は偏光フィルタの制御装置に対して制御信号を出力するものとする。
【０１４３】
具体的には、ステップＳ１２０で「光沢なし」の質感の選択を受付けると、ＰＣ１０１から制御信号を受信した偏光フィルタの制御装置が偏光フィルタの設置を制御し、ステップＳ１３０では偏光フィルタを介した撮影を実行する。
【０１４４】
このような偏光フィルタを介した撮影を行なうことで、肌のてかりを抑え、しっとりした肌の質感の写真を提供することができる。
【０１４５】
また、照明の方向と偏光フィルタとを組合わせて効果的な偏光フィルタの設置方法（方向、角度等）をユーザ１５に提示し、ステップＳ１２０でユーザ１５からさらに偏光フィルタの設置方法の選択を受付けることもできる。このようにすることで、さらにユーザの好みに応じた写真を提供することができる。
【０１４６】
さらに、上述の写真自動販売機の制御方法を、プログラムとして提供することもできる。このようなプログラムは、コンピュータに付属するフレキシブルディスク、ＣＤ−ＲＯＭ（Ｃｏｍｐａｃｔ　Ｄｉｓｃ−Ｒｅａｄ　Ｏｎｌｙ　Ｍｅｍｏｒｙ）、ＲＯＭ（Ｒｅａｄ　Ｏｎｌｙ　Ｍｅｍｏｒｙ）、ＲＡＭ（Ｒａｎｄｏｍ　Ａｃｃｅｓｓ　Ｍｅｍｏｒｙ）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１４７】
提供されるプログラム製品は、ハードディスクなどのプログラム格納部にインストールされて実行される。なお、プログラム製品は、プログラム自体と、プログラムが記録された記録媒体とを含む。
【０１４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本実施の形態における写真自動販売機の外観の具体例を示す図である。
【図２】筐体１を正面（撮影ブース４内方向）から見た具体例を示す図である。
【図３】本実施の形態における写真自動販売機の機能ブロック図である。
【図４】本実施の形態における写真自動販売機での処理を示すフローチャートである。
【図５】質感の選択画面の具体例を示す図である。
【図６】質感サンプル４０の具体例を示す図である。
【図７】第１の実施の形態におけるＰＣ１０１の構成の具体例を示す図である。
【図８】質感の選択がなされたときの、第１の実施の形態におけるＰＣ１０１での処理を示すフローチャートである。
【図９】光沢の範囲の選択画面の具体例を示す図である。
【図１０】第２の実施の形態におけるＰＣ１０１の構成の具体例を示す図である。
【図１１】質感の選択がなされたときの、第２の実施の形態におけるＰＣ１０１での処理を示すフローチャートである。
【図１２】第３の実施の形態におけるＰＣ１０１の構成の具体例を示す図である。
【図１３】質感の選択がなされたときの、第３の実施の形態におけるＰＣ１０１での処理を示すフローチャートである。
【符号の説明】
１　筐体、２　パネル、３　フレーム材、４　撮影ブース、５　背景カーテン、６　サイドカーテン、７　メインポスター、８　バックドア、９　プリント取出口、１０　印刷中ＬＥＤ、１１　印刷エラーＬＥＤ、１２，１２ａ，１２ｂ　プリンタ、１３　タブレットディスプレイ、１４　タブレットペン、１５　ユーザ、１６　ファン、１７　ＬＮＡケーブル差込口、１８　照明ボックス、１９　カメラユニット、２０　レール、２１　カメラ、２２　モニタ、２３　スピーカ、２４　操作部、２５　操作ディスプレイ、２６　コイン投入口、２７　錠、２８　フロントドア、２９　電源スイッチ、３０　照明装置、３１　フラッシュ、４０　質感サンプル、１０１　ＰＣ、１０２　制御部、１０３　電源制御部、１０４　ＵＰＳ、１０５　サービスパネル、１０６　フラッシュ制御部、１０７　コイン制御部、１２１　印刷部、１２２，１２２ａ，１２２ｂ　印刷媒体、１２３　印刷媒体切換部、１０１１　ＣＰＵ、１０１２　メモリ、１０１３　ドライバ、１０１４　記憶装置、１０１５　通信部、１０１６　カメラＩ／Ｆ、１０１７　操作ディスプレイＩ／Ｆ、１０１８　制御部Ｉ／Ｆ、１０１９　タブレットディスプレイＩ／Ｆ、１０２０　熱力制御部、１０２１，１０２１ａ，１０２１ｂ　プリンタＩ／Ｆ、１０２２　印刷媒体制御部、１０２３　プリンタ切換制御部。
【図１】
2004074540.tif 000003
【図２】
2004074540.tif 000004
【図３】
2004074540.tif 000005
【図４】
2004074540.tif 000006
【図５】
2004074540.tif 000007
【図６】
2004074540.tif 000008
【図７】
2004074540.tif 000009
【図８】
2004074540.tif 000010
【図９】
2004074540.tif 000011
【図１０】
2004074540.tif 000012
【図１１】
2004074540.tif 000013
【図１２】
2004074540.tif 000014
【図１３】
2004074540.tif 000015